(57)【要約】【課題】簡素な構成で支柱に対するビームの連結角度を上下左右へ調節自在であり、木材が腐朽等しても安易に脱落することがない、木製防護柵用の継手を提供する。【解決手段】所定間隔で立設された複数の木製支柱間２０に、木製のビーム２２が架設された木製防護柵用の継手である。支柱２０へ貫通状に穿設された軸孔２１へ挿通される寸切ボルト１０と、該寸切ボルト１０の両端部へそれぞれ螺合され、頭部に羽子板部１１ａを有する２つの袋ネジ１１と、羽子板部１１ａに挿通される連結ボルト１４を回転中心として袋ネジ１１に対して回動自在に連結され、ビーム２２の両端部に形成されたスリット２３へ挿嵌固定される２つの連結プレート１２・１３とを有する。【選択図】図６
2014025218.tif 000002
【特許請求の範囲】
【請求項１】
所定間隔で立設された複数の木製支柱間に、木製のビームが架設された木製防護柵用の継手であって、
前記支柱へ貫通状に穿設された軸孔へ挿通される寸切ボルトと、
該寸切ボルトの両端部へそれぞれ螺合され、頭部に羽子板部を有する２つの袋ネジと、
前記羽子板部に挿通される軸棒を回転中心として前記袋ネジに対して回動自在に連結され、前記ビームの両端部に形成されたスリットへ挿嵌固定される２つの連結プレートと、
を有することを特徴とする、木製防護柵用の継手。
【請求項２】
前記２つの連結プレートのうち、一方は一枚板からなる平板状であり、
他方は、前記羽子板部と連結される連結部と、該連結部の先端に連続するプレート部とを有し、
前記連結部の平面方向と前記プレート部の平面方向とが十字状に交差している、請求項１に記載の木製防護柵用の継手。
【発明の詳細な説明】
【技術分野】
【０００１】
本発明は、車道、歩道、公園、遊歩道、橋梁等に沿って配される木製防護柵用の継手に関するものであって、特に、斜面やコーナーにも対応可能な木製防護柵用の継手に関する。
【背景技術】
【０００２】
従来から、車両や歩行者の転落防止や交通事故防止等のために、いわゆるガードレールと称される防護柵が道路等に沿って配されている。防護柵にも種々の形態があるが、景観の向上や環境負荷の低減等を目的として、木製の支柱及びビーム（横棒）からなる木製防護柵の設置が増加しつつある。具体的には、所定間隔で並設された木製の支柱間に、木製のビームが上下複数段架設された防護柵がある。この場合、支柱とビームとは、継手を介して互いに連結されることになる。
【０００３】
このような木製の防護柵として、例えば下記特許文献１が開示されている。特許文献１の木製防護柵は、道路の路側に沿って立設された複数の支柱の地上部内側に、支柱の単位スパンに合わせて定めた長さの木製ビームを連続的に継ぎ合わせ横架して成る。そして、木製ビームの継ぎ合わせの位置を中心として、木製ビームの長さの９〜２７％長さを規定値とし、これより大きな長さで、かつ拡張力２トン以上のジョイントプレートを水平方向に配置している。そして、ジョイントプレートの規定値に対応して木製ビームに明けた取付穴を介して、ジョイントプレート及び木製ビーム相互を連結し、これらを支柱に固定している。
【０００４】
また、木製の防護柵用ではないが、斜面やコーナーに合わせてビームの連結角度を上下及び左右に調節可能な防護柵用継手として、特許文献２が開示されている。特許文献２では、支柱の挿入孔に係止部を挿入して取付金具を支柱に係止し、ボルト孔に挿通し雌ネジ孔に螺合されたボルトによって、取付金具を支柱に固定する。次いで、ビームの端部を上半筒体と下半筒体とによって上下から挟持し、ボルト孔を挿通して雌ネジに螺合されたボルトによって、ビームを上半筒体および下半筒体に固定する。次いで、支柱に固定された取付金具の半球形凸部に下半筒体の半球形凹部を嵌合し、ボルト孔を挿通して雌ネジに螺合されたボルトによって、取付金具、上半筒体、および下半筒体を固定している。これによれば、半球形凸部と半球形凹部との摺接嵌合作用により、ビームの角度を容易に可変可能となっている。
【先行技術文献】
【特許文献】
【０００５】
【特許文献１】特開２００４−２７８２５号公報
【特許文献２】特開平９−１３７４９号公報
【発明の概要】
【発明が解決しようとする課題】
【０００６】
特許文献１では、単に一枚板からなるジョイントプレートを介して連結しているだけなので、支柱に対するビームの連結角度を自由に調節することができない。これでは、斜面やコーナーにおいて防護柵を的確に設置することができない。
【０００７】
一方、特許文献２では支柱に対するビームの連結角度を上下及び左右へ自在に調節できるので、斜面やコーナーに合わせて的確に防護柵を設置できる。しかし、特許文献２では取付金具をボルトによって支柱へ固定しているだけである。この場合、金属製の防護柵であればある程度対候性が高いので問題が生じることは少ないとしても、木製の防護柵であれば風雨による浸食や腐朽菌による腐朽など、金属製の防護柵に比して劣化し易いので、取付金具が支柱から脱落してしまうおそれがある。また、特許文献２の継手は上下左右へ可変自在とするために取付金具に半球形凸部を、下半筒体に半球形凹部を形成した複雑な構造となっている。これでは、生産コストが高く、歩留まりも悪化してしまう。
【０００８】
そこで、本発明は上記課題を解決するものであって、簡素な構成で支柱に対するビームの連結角度を上下左右へ調節自在であり、木材が腐朽等しても安易に脱落することがない、木製防護柵用の継手を提供することを目的とする。
【課題を解決するための手段】
【０００９】
そのための手段として、本発明は、所定間隔で立設された複数の木製支柱間に、木製のビームが架設された木製防護柵用の継手であって、前記支柱へ貫通状に穿設された軸孔へ挿通される寸切ボルトと、該寸切ボルトの両端部へそれぞれ螺合され、頭部に羽子板部を有する２つの袋ネジと、前記羽子板部に挿通される軸棒を回転中心として前記袋ネジに対して回動自在に連結され、前記ビームの両端部に形成されたスリットへ挿嵌固定される２つの連結プレートと、を有することを特徴とする。
【００１０】
これによれば、継手の基本軸となる寸切ボルトが支柱へ貫通状に挿通されているので、木製の支柱が腐朽等により劣化しても、継手が容易に脱落することを避けることができる。そのうえで、寸切ボルトへ螺合された羽子板付き袋ネジに対して回動自在に連結された連結プレートをビームへ固定している。これにより、袋ネジに対する連結プレートの角度を変更することで、支柱に対するビームの連結角度を自由に調節することができる。このとき、寸切ボルトに対する袋ネジの回転位相を変更することで、連結プレート延いてはビームの角度調節方向を上下又は左右へ自由に変更することができる。しかも、２つの袋ネジの回転位相を互いに異ならせることで、各連結プレートの角度調節方向も互いに異ならせることができる。また、基本的構成が寸切ボルトと、羽子板付き袋ネジと、連結プレートとによって構成された簡素な構成となっているので、コスト削減にも有利である。
【００１１】
なお、前記２つの連結プレートのうち、一方を一枚板からなる平板状としたうえで、他方は、前記羽子板部と連結される連結部と、該連結部の先端に連続するプレート部とを有し、前記連結部の平面方向と前記プレート部の平面方向とが十字状に交差している構成とすることもできる。これによれば、地面の起伏やコーナーが入り混じった複雑な地形などにおいて各ビームの連結角度を独立して調節することが容易となり、複雑な地形においても的確に防護柵を設置し易くなる。
【発明の効果】
【００１２】
本発明の木製防護柵用の継手によれば、簡素な構成で支柱に対するビームの連結角度を上下左右へ調節自在であり、且つ木材が腐朽等により劣化しても安易に脱落することがない。
【図面の簡単な説明】
【００１３】
【図１】継手の斜視図である。
【図２】継手の分解斜視図である。
【図３】平坦面へ防護柵を直線状に連結した継手周辺の正面図である。
【図４】平坦面へ防護柵を直線状に連結した継手周辺の平面図である。
【図５】平坦面へ防護柵を屈曲して連結した継手周辺の平面図である。
【図６】斜面へ防護柵を直線状に連結した継手周辺の正面図である。
【図７】斜面へ防護柵を屈曲して連結した継手周辺の斜視図である。
【発明を実施するための形態】
【００１４】
以下、適宜図面を参照しながら本発明の代表的な実施形態について説明する。適用対象たる防護柵は、車両や歩行者の転落防止や交通事故防止等のために車道、歩道、公園、遊歩道、橋梁等に沿って設置されるものであって、所定間隔で並べて立設された複数の木材からなる支柱間に、横棒としての木材からなるビームが上下複数段架設されてなり、各支柱と各ビームとが、本実施形態の継手を介して連結されている。
【００１５】
そのうえで、本実施形態の継手は、図１に示すように、基本軸となる寸切ボルト１０と、該寸切ボルト１０の軸方向両端部へそれぞれ螺合される２つの袋ネジ１１と、各袋ネジ１１に対して回動自在に連結される２つの連結プレート１２・１３とを有する。寸切ボルト１０、袋ネジ１１、及び連結プレート１２・１３を含めて、本実施形態の継手を構成する全ての部材は、鉄（合金含む）などの金属製である。
【００１６】
図２に示すように、寸切ボルト１０は支柱２０の直径より僅かに短く、支柱２０の径方向に貫通状に穿設された軸孔２１へ挿通可能な直径となっている。袋ネジ１１は寸切ボルト１０の両端部を覆う長さを有し、寸切ボルト１０を中心軸として周回転自在に螺合される。また、袋ネジ１１の頭部には、プレート状の羽子板部１１ａを連続して有する。なお、袋ネジ１１は、寸切ボルト１０の両端部へ最奥方まで螺合した場合でも、少なくとも羽子板部１１ａが支柱２０の外方に位置する程度の長さ寸法に設定されている（図３等参照）。
【００１７】
袋ネジ１１の羽子板部１１ａには、連結プレート１２・１３と連結するための連結孔１１ｂが穿設されている。一方、連結プレート１２・１３の長手方向一端部にも、それぞれ袋ネジ１１と連結するための連結孔１２ａ・１３ａが穿設されている。そのうえで、袋ネジ１１の連結孔１１ｂと連結プレート１２の連結孔１２ａ、及び袋ネジ１１の連結孔１１ｂと連結プレート１３の連結孔１３ａをそれぞれ重ね合わせ、当該連結孔１１ｂ・１２ａ／１１ｂ・１３ａへ挿通された連結ボルト１４を介して袋ネジ１１と連結プレート１２・１３とが連結されている。連結ボルト１４は、スプリングワッシャ１５を介して袋ナット１６により固定される。なお、連結ボルト１４の長さ寸法は、羽子板部１１ａと連結プレート１２・１３の合計厚み寸法より大きい。これにより、連結プレート１２・１３は、連結ボルト１４を回転中心として回動自在となっている。すなわち、連結ボルト１４が、本発明の軸棒に相当する。
【００１８】
本実施形態では、形状の異なる二種類の連結プレート１２・１３を使用している。一方の連結プレート１２は一枚板からなる平板状であり、各ビーム２２の軸方向端部に形成された薄溝状のスリット２３へ挿嵌可能な厚み寸法となっている。また、連結プレート１２には、当該連結プレート１２をビーム２２へ強固に固定する固定ボルト２４挿通用の固定孔１２ｂが穿設されている。本実施形態では、固定孔１２ｂを二箇所に設けている。
【００１９】
一方、他方の連結プレート１３は、連結ボルト１４を介して袋ネジ１１の羽子板部１１ａと連結される連結部１３ｂと、該連結部１３ｂの先端に連続するプレート部１３ｃとを有する。そのうえで、連結部１３ｂの平面方向とプレート部１３ｃの平面方向との位相は９０度ズレており、長手方向視において互いの平面方向は十字状に交差している。なお、連結孔１３ａは連結部１３ｂに形成されている。プレート部１３ｃの形状は連結プレート１２とほぼ同じであり、各ビーム２２のスリット２３へ挿嵌可能な厚み寸法で、固定ボルト２４挿通用の二箇所の固定孔１３ｄを有する。符号２５は、ワッシャである。
【００２０】
続いて、図２を参照しながら、本実施形態の継手を用いて支柱２０とビーム２２とを連結する手順について説明する。先ず、ビーム２２の軸孔２１へ寸切ボルト１０を相通する。次いで、寸切ボルト１０の両端部へそれぞれ袋ネジ１１を螺合する。このとき、袋ネジ１１の螺合量は厳密に調節しておく必要は無い。続いて、連結孔１１ｂ・１２ａと連結孔１１ｂ・１３ａにそれぞれ連結ボルト１４を挿通して袋ナット１６で固定することで、袋ネジ１１に対して連結プレート１２・１３をそれぞれ回動自在に連結する。そして、連結プレート１２と連結プレート１３のプレート部１３ｃをそれぞれビーム２２のスリット２３へ挿嵌し、固定ボルト２４及び袋ナット１６によって連結プレート１２・１３をビーム２２に対して確りと固定する。なお、必要に応じてビーム２２と共に袋ネジ１１の螺合量を調節することで、支柱２０とビーム２２との連結距離の調節が可能である。
【００２１】
平坦な地面に防護柵を直線状に設置する場合は、上記手順で完了である。これにより、図３，４に示すように、ビーム２２が継手を介して支柱２０へ連結される。しかし、防護策は、起伏のある地面（傾斜面）やコーナーに設置される場合もある。この場合は、上記手順のみでは防護柵を的確に設置できない。そこで、ビーム２２を傾斜面やコーナーに合わせて的確に設置するためには、上記手順に加えて、袋ネジ１１に対する連結プレート１２・１３の連結角度を調節すればよい。
【００２２】
例えば、コーナーに沿って防護柵を屈曲（全体的に見れば湾曲）した状態で設置したい場合は、図５に示すように、ビーム２２と共に連結プレート１２・１３を、連結ボルト１４を中心として水平方向へ回動することで、連結角度を調節することができる。このとき、袋ネジ１１の周方向角度を調節して、連結ボルト１４を垂直方向としておく。
【００２３】
また、傾斜面へ防護柵を設置する場合は、図６に示すように、袋ネジ１１の周方向角度を調節して連結ボルト１４を水平方向としたうえで、ビーム２２と共に連結プレート１２・１３を連結ボルト１４を中心として上下方向に回動することで、連結角度を調節することができる。
【００２４】
さらに、起伏のある地面へ防護柵を屈曲して設置する場合など複雑な地形へ設置する場合でも、図７に示すように、一方を水平方向に、他方を上下方向に連結角度を調節するなど、別個独立して異なる方向へ連結角度を調節することもできる。
【００２５】
（変形例）
以上、本発明の代表的な実施形態について説明したが、本発明はこれに限られることはなく、本発明の要旨を逸脱しない範囲で、種々の変更が可能である。例えば、２つの連結プレートを共に同じ形状とすることもできる。２つとも連結プレート１３のような形状とすることもできるが、コスト的には２つとも一枚板からなる連結プレート１２のような形状とすることが好ましい。また、固定孔１２ｂ・１３ｄは、二箇所に限らず一箇所または三箇所以上設けることもできる。
【符号の説明】
【００２６】
１０  寸切ボルト
１１  袋ネジ
１１ａ  羽子板部
１２・１３  連結プレート
１３ｂ  連結部
１３ｃ  プレート部
１４  連結ボルト（軸棒）
２０  支柱
２２  ビーム
２３  スリット
【図１】
2014025218.tif 000003
【図２】
2014025218.tif 000004
【図３】
2014025218.tif 000005
【図４】
2014025218.tif 000006
【図５】
2014025218.tif 000007
【図６】
2014025218.tif 000008
【図７】
2014025218.tif 000009